(57)【要約】【課題】カードリーダ装置の横向き、縦向きに応じて、表示パネルの表裏を自在に入れ替え、表裏面に各別に表示された案内によってカードのタッチをスムースに行うことができるカードリーダ装置を提供すること。【解決手段】非接触型のカードリーダ装置１であって、開口部１１を有する本体１０と、開口部１１に着脱可能に嵌合され、第１辺２１に軸部２２を有する表示パネル２０と、開口部１１の両側に表示パネル２０の第１辺２１と交差する方向に沿って設けられ、軸部２２を案内する一対の取付部１２ａ、１２ｂと、を備え、表示パネル２０の第１辺２１に対向する第２辺２３を開口部１１から離脱させ、第１辺２１の軸部２２を一対の取付部１２ａ、１２ｂに沿って摺動させて第１辺２１と第２辺２３の位置を変更し、第２辺２３を開口部１１に装着することにより、表示パネル２０が表裏反転される。【選択図】図５
2017215747.tif 000002
【特許請求の範囲】
【請求項１】
非接触型のカードリーダ装置であって、
開口部を有する本体と、
前記開口部に着脱可能に嵌合され、第１辺に軸部を有する表示パネルと、
前記開口部の両側に前記表示パネルの前記第１辺と交差する方向に沿って設けられ、前記軸部を案内する一対の取付部と、を備え、
前記表示パネルの前記第１辺に対向する第２辺を前記開口部から離脱させ、前記第１辺の前記軸部を前記一対の取付部に沿って摺動させて前記第１辺と前記第２辺の位置を変更し、前記第２辺を前記開口部に装着することにより、前記表示パネルが表裏反転される
ことを特徴とするカードリーダ装置。
【請求項２】
各取付部が、前記表示パネルの前記第１辺及び前記第２辺側に延在する係合部を有し、
前記表示パネルが装着されるとき、前記第２辺が前記係合部に係合される
ことを特徴とする請求項１に記載のカードリーダ装置。
【請求項３】
前記開口部の下方にあって前記表示パネルを支持するアタッチメントをさらに備え、
前記アタッチメントが、前記表示パネルの前記第１辺及び前記第２辺に対応する位置に、前記表示パネルの前記軸部を軸受する第１凹部及び第２凹部を有する
ことを特徴とする請求項１又は２に記載のカードリーダ装置。
【発明の詳細な説明】
【技術分野】
【０００１】
本発明は、非接触型のカードリーダ装置に関する。特に、カード読み取り面の構造に関する。
【背景技術】
【０００２】
非接触型のカードリーダ装置として、ロゴマークなどを印刷したポッティング樹脂シートを、粘着剤又は両面テープを用いてカード読み取り面に貼り合わせたカードリーダ装置が知られている（例えば、特許文献１参照）。この構造では、ポッティング樹脂シートを粘着剤又は両面テープで取り付けるため、貼り直しにより粘着剤でリーダ装置が汚れる。また、カードリーダ装置のカード読み取り面に脱着可能な前面板を備え、異なる色柄の前面板を交換可能としたカードリーダ装置が知られている（例えば、特許文献２参照）。この構造では、着脱自在な前面板を取り替えるため、保管中の前面板を紛失する可能性が生じる。
【先行技術文献】
【特許文献】
【０００３】
【特許文献１】特開２００６−２０９１６７号公報
【特許文献２】登録実用新案第３１３７３８７号公報
【発明の概要】
【発明が解決しようとする課題】
【０００４】
本発明は、カードリーダ装置の横向き、縦向きに応じて、表示パネルの表裏を自在に入れ替え、表裏面に各別に表示された案内によってカードのタッチをスムースに行えるカードリーダ装置を提供する。
【課題を解決するための手段】
【０００５】
（１）本発明に係る態様は、非接触型のカードリーダ装置であって、開口部を有する本体と、開口部に着脱可能に嵌合され、第１辺に軸部を有する表示パネルと、開口部の両側に表示パネルの第１辺と交差する方向に沿って設けられ、軸部を案内する一対の取付部と、を備え、表示パネルの第１辺に対向する第２辺を開口部から離脱させ、第１辺の軸部を一対の取付部に沿って摺動させて第１辺と第２辺の位置を変更し、第２辺を開口部に装着することにより、表示パネルが表裏反転されるカードリーダ装置を提供する。
【０００６】
（２）上記（１）に記載のカードリーダ装置において、各取付部が、表示パネルの第１辺及び第２辺側に延在する係合部を有し、表示パネルが装着されるとき、第２辺が係合部に係合されてもよい。
【０００７】
（３）上記（１）又は（２）に記載のカードリーダ装置において、開口部の下方にあって表示パネルを支持するアタッチメントをさらに備え、アタッチメントが、表示パネルの第１辺及び第２辺に対応する位置に、表示パネルの軸部を軸受する第１凹部及び第２凹部を有してもよい。
【発明の効果】
【０００８】
本発明によれば、カードリーダ装置の横向き、縦向きに応じて、表示パネルの表裏を自在に入れ替え、表裏面に各別に表示された案内によってカードのタッチをスムースに行うことができるカードリーダ装置を提供できる。
【図面の簡単な説明】
【０００９】
【図１】本発明の実施形態に係るカードリーダ装置を示す斜視図である。
【図２】カードリーダ装置を示す分解斜視図である。
【図３】図１におけるカードリーダ装置を、切断面Ａから見た斜視図である。
【図４】（a）〜（ｄ）は、カードリーダ装置が横向きで表示パネルの表裏を入れ替える様子を示す斜視図、（e）は、表裏を入れ替え後、縦向きにしたカードリーダ装置を示す斜視図である。
【図５】（a）〜（ｄ）は、カードリーダ装置が横向きで表示パネルの表裏を入れ替える様子を示す正面図及びそのＢ−Ｂ概略断面図、（e）は、表裏を入れ替え後、縦向きにしたカードリーダ装置を示す正面図及びそのＢ−Ｂ概略断面図である。
【発明を実施するための形態】
【００１０】
本発明の実施形態に係るカードリーダ装置１は、非接触型のカードリーダ装置１であって、開口部１１を有する本体１０と、開口部１１に着脱可能に嵌合され、第１辺２１に軸部２２を有する表示パネル２０と、開口部１１の両側に表示パネル２０の第１辺２１と交差する方向に沿って設けられ、軸部２２を案内する一対の取付部１２ａ，１２ｂと、を備え、表示パネル２０の第１辺２１に対向する第２辺２３を開口部１１から離脱させ、第１辺２１の軸部２２を一対の取付部１２ａ，１２ｂに沿って摺動させて第１辺２１と第２辺２３の位置を変更し、第２辺２３を開口部１１に装着することにより、表示パネル２０が表裏反転される。
【００１１】
以下、カードリーダ装置１を、添付図面を参照して詳細に説明する。カードリーダ装置１は、非接触ＩＣ（Ｉｎｔｅｇｒａｔｅｄ  Ｃｉｒｃｕｉｔ）カード、電子マネー、ＩＣカード機能を備えた携帯電話等との間で、ＲＦ（Ｒａｄｉｏ  Ｆｒｅｑｕｅｎｃｙ）によりデータの読み取り、書き込みを行う装置である。以下では、非接触ＩＣカード１００を例に説明する。非接触ＩＣカード１００を使用する場所は様々であり、カードリーダ装置１は、その設置場所に応じて、横置き、縦置きにして設置される。
【００１２】
図１及び図２において、カードリーダ装置１は、略直方体形状を有し、最も広い面を上面としてその長辺側を手前にして横向きに設置されている。カード読み取り面１２０は、カードリーダ装置１の上面である。図１に、非接触ＩＣカード１００の使用者が、カードリーダ装置１に向かう方向を白抜き矢印で示した。カード読み取り面１２０には、案内の一例としての非接触ＩＣカード１００を指で持った絵文字２４が描かれた表示パネル２０が装着されている。使用者は、案内によって非接触ＩＣカード１００をかざす位置、方向がわかる。
【００１３】
カードリーダ装置１の本体１０は、上カバー１２と下カバー１３を備え、これらを合わせることで筐体として構成されている。開口部１１の形状は、長方形状であって、その短辺、長辺を上カバー１２のカード読み取り面１２０の短辺、長辺に合わせて上カバー１２のカード読み取り面１２０の略中央に形成されている。また、開口部１１の一対の短辺に沿って、カード読み取り面１２０には、表示パネル２０の取付部１２ａ，１２ｂがそれぞれ設けられている。また、開口部１１の長辺のほぼ中央付近の上カバー１２には、切欠き１２２ａ，１２２ｂが形成されている。切欠き１２２ａ，１２２ｂの位置は、開口部１１の長辺の中央付近でなくてもよい。
【００１４】
取付部１２ａ，１２ｂは、開口部１１の短辺に沿って、カード読み取り面１２０から突出して土手状に形成されている。突出させる高さは、非接触ＩＣカード１００のデータの読み込み、書き込みが可能な高さに調整する。本体１０は、例えば合成樹脂を用いて形成することができる。
【００１５】
表示パネル２０の形状は板形状で、開口部１１の長方形状に合わせて、ひとまわり小さい長方形状に形成されている。軸部２２は、表示パネル２０の第１辺２１の両側に円柱状の突起として形成されている。表示パネル２０は、本体１０と同様に例えば合成樹脂で形成できる。
【００１６】
図１、図２及び図３において、各取付部１２ａ，１２ｂが、表示パネル２０の第１辺２１及び第２辺２３側に延在する係合部１４ａ，１４ｂを有し、表示パネル２０が装着されるとき、第２辺２３が係合部１４ｂに係合される。
【００１７】
図３において、取付部１２ａ，１２ｂ及び係合部１４ａ，１４ｂは、開口部１１を少し覆うように突出して形成されている。ここで、表示パネル２０の第１辺２１が係合部１４ａに係合するとともに、第２辺２３は係合部１４ｂに係合している。したがって、表示パネル２０の表面は、カード読み取り面１２０と同じ面内になっている。
【００１８】
図１、図２及び図３において、カードリーダ装置１は、開口部１１の下方にあって表示パネル２０を支持するアタッチメント３０を備え、アタッチメント３０が、表示パネル２０の第１辺２１及び第２辺２３に対応する位置に、表示パネル２０の軸部２２を軸受する第１凹部３１及び第２凹部３２を有している。
【００１９】
アタッチメント３０は、取付部１２ａ，１２ｂ及び係合部１４ａ，１４ｂとの間に表示パネル２０を挟んで、ねじ４０を短辺側に設けられた２カ所の孔３３に通して、２カ所のボス１２１にねじ込むことで、上カバー１２に固定されている。アタッチメント３０をねじ４０で上カバー１２に固定すると、表示パネル２０は、アタッチメント３０によって係合部１４ａ，１４ｂとの間に支持される。また、表示パネル２０の軸部２２は取付部１２ａ，１２ｂに接触して支持される。
【００２０】
以下に、表示パネル２０を表裏反転させる様子を、図４及び図５を参照して詳細に説明する。図５において、アタッチメント３０は、非接触ＩＣカード１００のデータの読み込み、書き込みを行うリーダ部２００を備えている。
【００２１】
図４（ａ）及び図５（ａ）において、表示パネル２０の第２辺２３側の切欠き１２２ｂに図示しないピン等を差して、表示パネル２０にピン等を引っかける。次に、表示パネル２０を短辺方向に撓ませながら、表示パネル２０を係合部１４ｂから外して起こし、開口部１１から表示パネル２０の第２辺２３を離脱させる。図中に、非接触ＩＣカード１００の使用者が、カードリーダ装置１に向かう方向を白抜き矢印で示した。
【００２２】
図４（ｂ）及び図５（ｂ）において、表示パネル２０を起こして第２辺２３を開口部１１から離していくと、表示パネル２０の軸部２２は、アタッチメント３０の第１凹部３１に収まりながら、第１凹部３１に軸受されて回転する。
【００２３】
図４（ｃ）及び図５（ｃ）において、表示パネル２０を上方向に引き上げ、軸部２２を一対の取付部１２ａ，１２ｂに沿って、取付部１２ａ，１２ｂとアタッチメント３０の間で摺動させ、軸部２２を第２凹部３２に向けて移動させる。
【００２４】
図４（ｄ）及び図５（ｄ）において、軸部２２を第２凹部３２まで摺動させたところで、表示パネル２０の第２辺２３を開口部１１に向けて倒す。表示パネル２０の軸部２２は、アタッチメント３０の第２凹部３２に収まり、第２凹部３２に軸受されて回転する。表示パネル２０の裏面側には、絵文字２５が表面側の絵文字２４に対して９０°回転した状態で描かれている。
【００２５】
図４（ｅ）及び図５（ｅ）において、表示パネル２０を短辺方向に撓ませながら、表示パネル２０の第２辺２３を係合部１４ａに係合させて、第２辺２３を開口部１１に装着する。この状態で、第１辺２１と第２辺２３の位置が変更され、表示パネル２０が表裏反転される。
【００２６】
ここで、図４（ｅ）及び図５（ｅ）では、カードリーダ装置１を縦向きで設置した状態を示している。図中に、非接触ＩＣカード等の使用者が、カードリーダ装置１に向かう方向を白抜き矢印で示した。
【００２７】
なお、図４（ｅ）、図５（ｅ）に示した縦向きに設置したカードリーダ装置１を、再び横向きに設置する場合は、上述した操作を逆に行い、表示パネル２０を表裏反転させて使用する。
【００２８】
実施形態に係るカードリーダ装置１によれば、カードリーダ装置１の横向き、縦向きに応じて、表示パネル２０の表に表示された横向き用の絵文字２４と裏に表示された縦向き用の絵文字２５とを自在に入れ替えできる。したがって、カードリーダ装置１を横向き、縦向きどちらに設置しても、表裏面に各別に表示された横向き用の絵文字２４又は縦向き用の絵文字２５の案内によって非接触ＩＣカード１００のタッチをスムースに行えるカードリーダ装置１を提供できる。
【００２９】
また、取付部１２ａ，１２ｂ及び係合部１４ａ，１４ｂが、カード読み取り面１２０から突出して形成されているので、非接触ＩＣカード１００をカードリーダ装置１にタッチした際に、非接触ＩＣカード１００が、絵文字２４，２５の描かれた面に触れにくく、絵文字２４，２５を傷つきにくくできる。
【００３０】
さらに、カードリーダ装置１の横向き、縦向きに応じて、案内用の表示パネルを複数用意する必要がなく表示パネルの紛失を少なくできるとともに、表示パネルが一枚で済むのでコストも低減できる。
【００３１】
上記実施形態において、取付部１２ａ，１２ｂを、開口部１１の短辺に沿って設け、軸部２２を表示パネル２０の長辺である第１辺２１に設けて、軸部２２を取付部１２ａ，１２ｂに沿って移動させたが、取付部を、開口部１１の長辺に沿って設け、軸部２２を表示パネル２０の短辺に設けて、軸部２２を取付部に沿って移動させる構造としてもよい。軸部２２を開口部１１の長辺に沿って移動させる構造の場合、アタッチメント３０等もその構造に合わせた構造とする。
【００３２】
また、軸部２２の直径は、表示パネル２０の板厚と同じであってもよいし、小さくてもよい。軸部２２の直径を表示パネル２０の板厚より小さくすると、軸部２２を、一対の取付部１２ａ，１２ｂに沿って摺動させ易くなる。
【符号の説明】
【００３３】
１…カードリーダ装置
１０…本体
１１…開口部
１２…上カバー
１２ａ，１２ｂ…取付部
１３…下カバー
１４ａ，１４ｂ…係合部
２０…表示パネル
２１…第１辺
２２…軸部
２３…第２辺
２４，２５…絵文字
３０…アタッチメント
３１…第１凹部
３２…第２凹部
３３…孔
４０…ねじ
１００…非接触ＩＣカード
１２０…カード読み取り面
１２１…ボス
１２２ａ，１２２ｂ…切欠き
２００…リーダ部
【図１】
2017215747.tif 000003
【図２】
2017215747.tif 000004
【図３】
2017215747.tif 000005
【図４】
2017215747.tif 000006
【図５】
2017215747.tif 000007